(57)【要約】【課題】鉄道システム用の信号制御システムにおいて、信号装置と遠隔制御装置との間のケーブルの架設をより容易に行う。【解決手段】信号制御システム１０は、複数の信号灯（１２Ｇ，１２Ｙ，１２Ｒ）を含む信号装置１４と、信号灯（１２Ｇ，１２Ｙ，１２Ｒ）の点灯または滅灯を指示する信号を信号装置１４に向けて送信する遠隔制御装置１６と、を備える。そして、信号装置１４に設けられた出力回路（１８Ｇ，１８Ｙ，１８Ｒ）が、遠隔制御装置１６より受け取った上記信号に基づいて対応する信号灯（１２Ｇ，１２Ｙ，１２Ｒ）を点灯あるいは滅灯する。こうすれば、出力回路を遠隔制御装置側に設けていた従来システムに比べてケーブルを細くでき、その架設が容易になる。【選択図】　　　　図１
2004082854.tif 000002
【特許請求の範囲】
【請求項１】
複数の信号灯を有する信号装置と、
前記信号装置と離れて配置され、信号灯の点灯または滅灯を指示する信号を該信号装置に向けて送信する遠隔制御装置と、
を備え、
前記信号装置は、取得した前記各信号灯の点灯または滅灯を示す信号に基づいて、所定の信号灯に点灯電力を供給することを特徴とする鉄道システム用信号制御システム。
【請求項２】
前記遠隔制御装置は、前記信号灯の点灯または滅灯を示す信号を、各信号灯に応じて異なる周波数を有する信号として生成し、
前記信号装置は、
信号灯毎に設けられ、対応する信号灯に点灯電力を供給する出力回路と、
前記信号灯の点灯または滅灯を示す信号を、その周波数に応じて、点灯させる信号灯に対応する前記出力回路に入力する信号選別回路と、を備え、
前記信号灯の点灯または滅灯を示す信号の入力された出力回路のみが、対応する信号灯に点灯電力を供給することを特徴とする請求項１に記載の鉄道システム用信号制御システム。
【発明の詳細な説明】
【０００１】
【発明の属する技術分野】
本発明は、鉄道システムで用いられる信号制御システムに関する。
【０００２】
【従来の技術】
まず、図２を参照して従来の鉄道システム用の信号制御システム３０について説明する。
【０００３】
信号制御システム３０は、緑（または青；進行現示）、黄（注意現示）、赤（停止現示）の各信号灯（３２Ｇ，３２Ｙ，３２Ｒ）を有する信号装置３４と、信号装置３４と離れて配置される遠隔制御装置３６と、を備える。このうち、遠隔制御装置３６は、各信号灯（３２Ｇ，３２Ｙ，３２Ｒ）にそれを点灯するのに必要な点灯電力を供給する出力回路（３８Ｇ，３８Ｙ，３８Ｒ）と、外部装置（例えば連動制御装置等、図示せず）からの指示入力に基づいて各出力回路（３８Ｇ，３８Ｙ，３８Ｒ）に点灯および／または滅灯を指示する制御回路４０と、を備える。
【０００４】
出力回路（３８Ｇ，３８Ｙ，３８Ｒ）による各信号灯（３２Ｇ，３２Ｙ，３２Ｒ）に対する点灯電力の供給は、導線（４２Ｇ，４２Ｙ，４２Ｒ，４２Ｅ）を介して行われる。具体的には、信号灯（３２Ｇ，３２Ｙ，３２Ｒ）および出力回路（３８Ｇ，３８Ｙ，３８Ｒ）の正極側は、それぞれ対応する導線（４２Ｇ，４２Ｙ，４２Ｒ）を介して接続され、一方、各信号灯（３２Ｇ，３２Ｙ，３２Ｒ）および出力回路（３８Ｇ，３８Ｙ，３８Ｒ）の負極側は一本の共通グランド導線４２Ｅを介して接続されている。したがって、従来の信号制御システム３０では、信号装置３４と遠隔制御装置３６との間において、これら合計四本の導線（４２Ｇ，４２Ｙ，４２Ｒ，４２Ｅ）を含む一本または複数本のケーブルが架け渡されている。
【０００５】
【発明が解決しようとする課題】
このように、従来の信号制御システムでは、各信号灯に点灯電力を供給する出力回路が、信号装置の遠隔に設置される遠隔制御装置内に設けられるため、信号装置と遠隔制御装置との間で、複数（すなわち信号灯数＋１）の導線を含むケーブルを架設する必要があった。したがって、信号装置と遠隔制御装置との間に架設されるケーブルは、全体として太くなってしまい、信号装置の設置される軌道周辺において、そのケーブルを架設するのに比較的大きなスペースを確保する必要が生じるとともに、その架設作業に多大な手間を要することとなっていた。
【０００６】
【課題を解決するための手段】
本発明にかかる鉄道システム用信号制御システムは、複数の信号灯を有する信号装置と、上記信号装置と離れて配置され、信号灯の点灯または滅灯を指示する信号を該信号装置に向けて送信する遠隔制御装置と、を備え、上記信号装置は、取得した上記各信号灯の点灯または滅灯を示す信号に基づいて、所定の信号灯に点灯電力を供給する。
【０００７】
このように、信号装置と遠隔制御装置との間で信号灯の点灯または滅灯を指示する信号を伝送するようにした場合、当該信号の伝送路は複数の信号灯について個別に設けることなく共用化することができるため、従来に比べて導線の本数を削減することができる。なお、信号灯の点灯または滅灯を指示する信号の伝送を無線にて行うように構成した場合には、信号装置と遠隔制御装置との間の導線およびケーブルは不要となる。この場合は、別途信号灯を点灯するための電源が必要となる。
【０００８】
また、本発明では、上記遠隔制御装置は、上記信号灯の点灯または滅灯を示す信号を、各信号灯に応じて異なる周波数を有する信号として生成し、上記信号装置は、信号灯毎に設けられ、対応する信号灯に点灯電力を供給する出力回路と、上記信号灯の点灯または滅灯を示す信号を、その周波数に応じて、点灯させる信号灯に対応する上記出力回路に入力する信号選別回路と、を備え、上記信号灯の点灯または滅灯を示す信号の入力された出力回路のみが、対応する信号灯に点灯電力を供給するのが好適である。こうすれば、比較的簡素な回路構成によって、本発明にかかる信号制御システムを構築することができる。
【０００９】
【発明の実施の形態】
以下、本発明の好適な実施形態について図１を参照して説明する。図１は、本実施形態にかかる鉄道システム用信号制御システム１０の構成図である。
【００１０】
信号制御システム１０は、緑（または青；進行現示）、黄（注意現示）、赤（停止現示）の各信号灯（１２Ｇ，１２Ｙ，１２Ｒ）を有する信号装置１４と、信号装置１４と離れて配置される遠隔制御装置１６と、を備える。そして、遠隔制御装置１６は、各信号灯（１２Ｇ，１２Ｙ，１２Ｒ）の点灯または滅灯を指示する信号を生成する制御回路２０を含み、一方、信号装置１４は、各信号灯（１２Ｇ，１２Ｙ，１２Ｒ）にそれを点灯するのに必要な点灯電力を供給する出力回路（１８Ｇ，１８Ｙ，１８Ｒ）を含む。かかる構成において、出力回路（１８Ｇ，１８Ｙ，１８Ｒ）は、制御回路２０から出力された各信号灯（１２Ｇ，１２Ｙ，１２Ｒ）の点灯または滅灯を指示する信号に基づいて、その指示に基づく点灯状態となるよう、対応する信号灯（１２Ｇ，１２Ｙ，１２Ｒ）に点灯電力を供給する。
【００１１】
信号灯（１２Ｇ，１２Ｙ，１２Ｒ）の点灯または滅灯を指示する信号は、出力回路（１８Ｇ，１８Ｙ，１８Ｒ）において、対応する信号灯（１２Ｇ，１２Ｙ，１２Ｒ）を点灯するかあるいは滅灯するかを判別できる信号であればよい。一例としては、各信号灯（１２Ｇ，１２Ｙ，１２Ｒ）に対しそれぞれ異なる周波数（ｆｇ，ｆｙ，ｆｒ；ｆｇ≠ｆｙ≠ｆｒ）を割り当てておき、制御回路２０において、信号灯（１２Ｇ，１２Ｙ，１２Ｒ）の点灯または滅灯を指示する信号を、点灯する信号灯（１２Ｇ，１２Ｙ，１２Ｒ）に対応する周波数成分を有する信号として生成すればよい。この場合、出力回路（１８Ｇ，１８Ｙ，１８Ｒ）は、受け取った信号灯（１２Ｇ，１２Ｙ，１２Ｒ）の点灯または滅灯を指示する信号に、管轄する信号灯（１２Ｇ，１２Ｙ，１２Ｒ）に対応する周波数成分（ｆｇ，ｆｙ，ｆｒ）が含まれていたときにのみ、点灯電力を供給する。
【００１２】
この例のように信号灯（１２Ｇ，１２Ｙ，１２Ｒ）の点灯指示を周波数変調（ＦＭ変調）あるいはＦＳＫ変調によって行う場合、さらに、信号装置１４の出力回路（１８Ｇ，１８Ｙ，１８Ｒ）の前段に信号選別回路２２を設けることで、各出力回路（１８Ｇ，１８Ｙ，１８Ｒ）の回路構成をより簡素化することができる。具体的には、信号選別回路２２は、各周波数成分（ｆｇ，ｆｙ，ｆｒ）のみを通過させるバンドパスフィルタ（ＢＰＦ；２４Ｇ，２４Ｙ，２４Ｒ）を含む。そしてＢＰＦ２４Ｇは、入力された信号のうち進行現示に対応する信号灯１２Ｇの点灯指示に対応する周波数成分ｆｇのみを出力回路１８Ｇに入力し、同様にＢＰＦ２４Ｙは周波数成分ｆｙのみを出力回路１８Ｙに、またＢＰＦ２４Ｒは周波数成分ｆｒのみを出力回路１８Ｒに入力する。そして、各出力回路（１８Ｇ，１８Ｙ，１８Ｒ）は、入力された信号（周波数成分）の振幅レベルが所定値より大きくなったときに、対応する信号灯（１２Ｇ，１２Ｙ，１２Ｒ）に点灯電力を供給する。
【００１３】
信号灯（１２Ｇ，１２Ｙ，１２Ｒ）の点灯あるいは滅灯を指示する信号を伝送する導線２６は、信号灯（１２Ｇ，１２Ｙ，１２Ｒ）毎に設ける必要はない。ちなみに、図１の例では、信号装置１４と遠隔制御装置１６との間は、信号灯（１２Ｇ，１２Ｙ，１２Ｒ）の点灯あるいは滅灯を指示する信号を伝送する導線２６と、信号灯（１２Ｇ，１２Ｙ，１２Ｒ）、出力回路（１８Ｇ，１８Ｙ，１８Ｒ）、ＢＰＦ（２４Ｇ，２４Ｙ，２４Ｒ）および制御回路２０の共通グランド導線２８との二本で接続されている。このように、本発明にかかる信号制御システムによれば、信号装置と遠隔制御装置との間の導線の数を減らし、その導線を含むケーブルの架設スペースを小さくし、かつその架設に要する手間を軽減することができる。
【００１４】
以上、本発明の好適な実施形態について説明したが、本発明は上記実施形態には限定されない。まず、上記実施形態では、点灯する信号灯を信号の周波数により識別する周波数変調（ＦＭ変調）あるいはＦＳＫ変調方式を採用したが、これに替えて、ＡＭ変調、ＡＳＫ変調、ＰＳＫ変調等、アナログ方式およびディジタルの種々の変調方式を採用することができる。また、上記実施形態では、信号装置と遠隔制御装置との間の信号の伝送を有線によって行うが、これに替えて、信号灯の点灯あるいは滅灯を指示する信号の伝送を無線によって行うようにしてもよい。この場合には、信号装置１４および遠隔制御装置１６のそれぞれに無線通信処理部を設ければよい。
【００１５】
【発明の効果】
以上、説明したように、本発明にかかる信号制御システムによれば、信号制御システムの設置に要する手間およびコストを低減できるという効果がある。
【図面の簡単な説明】
【図１】本発明の実施形態にかかる信号制御システムの概略構成図である。
【図２】従来の信号制御システムの概略構成図である。
【符号の説明】
１０　信号制御システム、１２Ｇ，１２Ｙ，１２Ｒ　信号灯、１４　信号装置、１６　遠隔制御装置、１８Ｇ，１８Ｙ，１８Ｒ　出力回路、２０　制御回路、２２　信号選別回路、２６　導線、２８　共通グランド導線。
【図１】
2004082854.tif 000003
【図２】
2004082854.tif 000004